(57)【要約】【課題】  ディスクを備えた小型ディスクカートリッジにおいて、ディスクとセンタコアの貼付時に発生する気泡を低減させることにより、ディスクカートリッジの品質を向上させることを目的とする。【解決手段】  ディスク５をセンタコア１０の外周から内方へ切り込まれた複数の切欠部を有する両面粘着性テープを介して、センタコア１０のディスク貼付面上に固着する。【選択図】          図２
2006134453.tif 000002
【特許請求の範囲】
【請求項１】
中心部にセンタコアが両面粘着性テープを介して固着されてなる可撓性ディスクを回転自在に収容してなるディスクカートリッジにおいて、前記両面粘着性テープが前記センタコアの外周から内方へ切り込まれた複数の切欠部を有するものであることを特徴とするディスクカートリッジ。
【請求項２】
前記切欠部が円の外周に設けられたＶ字状の切欠部であることを特徴とする請求項１に記載のディスクカートリッジ。
【発明の詳細な説明】
【技術分野】
【０００１】
ディスクの中心部にセンタコアが両面粘着性テープを介して固着されてなるディスクカートリッジに関するものである。
【背景技術】
【０００２】
従来、デジタルカメラ等のモバイル機器においては、記録媒体として「Ｃｌｉｋ！（登録商標）」と呼ばれる超小型の磁気ディスクカートリッジが使用されている。この磁気ディスクカートリッジは、例えば幅５０ｍｍ、奥行き５５ｍｍ、厚さ１．９５ｍｍの扁平な金属薄板からなる上下シェルを備えたハウジング内に、４０ＭＢの記憶容量を有する直径約１．８インチ（約４５．７ｍｍ）の磁気ディスクを情報記録媒体として回転自在に収容したものである。
【０００３】
このような磁気ディスクは、厚さ約３２μｍのＰＥＴ（ポリエチレンテレフタレート）樹脂からなる基材フィルムの両面に磁性層を設けたものであり、その中心部に固着されたセンタコアによって支持されている。センタコアは、ディスク貼付面としての平坦な上面を備えた外径約１２．５ｍｍの円盤状部分の下部に一体に連接されたより小径の係合部とを備えた鉄系金属からなるものであり、この磁気ディスクカートリッジがドライブ装置に装填された際には、ドライブ装置が備えているドライブスピンドルにセンタコアの上記係合部が磁気的に吸着されてドライブスピンドルにチャッキングされるように構成されている。
【０００４】
そして、磁気ディスクの中心部をセンタコアのディスク貼付面上に同軸的に固着するための手段として、一般的に円盤状に打ち抜かれた基材（ＰＥＴ、不織布）の両面粘着性テープが用いられている。
【特許文献１】特開２００４−２１３８５５号公報
【発明の開示】
【発明が解決しようとする課題】
【０００５】
ところで、このような小型磁気ディスクカートリッジにおいては、その記録媒体としての磁気ディスクのさらなる高容量化および高転送レート化が望まれており、磁気ディスクを外径２インチ（５０．８ｍｍ）以下に小径化し、かつ磁気ディスクの回転数を高速化することが図られようとしているが、そのような小径化および高速化を図ろうとする場合に、従来ではさほど問題にならなかった磁気ディスクの情報記録領域における僅かな回転面振れに起因するオフトラック等が大きな障害となってきた。
【０００６】
そこで、本発明者はディスクの回転面振れを低減するために、ディスクの回転面振れの要因を探求した結果、ディスクとセンタコアのディスク貼付面とを両面粘着性テープを介して貼り付ける際に巻き込まれる気泡により発生した歪みが、ディスクの中心領域から外周側の記録領域に向って伝播して、記録領域において回転面振れを生じさせていることを確認した。
【０００７】
よって本発明は、ディスクとセンタコアの貼付時に発生する気泡を低減させることにより、品質を向上させたディスクカートリッジを提案することを目的とするものである。
【課題を解決するための手段】
【０００８】
本発明によるディスクカートリッジは、中心部にセンタコアが両面粘着性テープを介して固着されてなる可撓性ディスクを、回転自在に収容してなるディスクカートリッジにおいて、前記両面粘着性テープが前記センタコアの外周から内方へ切り込まれた複数の切欠部を有するものであることを特徴とするものである。
【０００９】
ここで、前記切欠部は円の外周に設けられたＶ字状の切欠部であることが望ましい。
【００１０】
なお本発明の切欠部は、ディスクを接着する際にエアが抜けるようにセンタコアの外周から内方へ切り込まれた形状であればいかなるものでも良い。具体的にはＵ字状の切欠部、波形状の切欠部等を使用できる。
【００１１】
また、切欠部の数や大きさは特に限定されないが、高速回転時に振動が生じないように両面粘着性テープの回転軸中心が両面粘着性テープの重心になるようにすることが好ましい。
【発明の効果】
【００１２】
本発明によれば、ディスクをセンタコアのディスク貼付面上に固着する両面粘着性テープが前記センタコアの外周から内方へ切り込まれた複数の切欠部を有することにより、ディスクと両面粘着性テープおよびセンタコアと両面粘着性テープとの接触面積が低減し、さらにエア抜け効果が生じることによって気泡の数が減少する。これにより、ディスクを接着する際に生じる歪みの低減が可能になる。
【発明を実施するための最良の形態】
【００１３】
以下、本発明によるディスクカートリッジの実施形態について、図面を参照して詳細に説明する。
【００１４】
図１（ａ），（ｂ）は、本発明が適用される磁気ディスクカートリッジの平面図および底面図、図２は図１（ｂ）のＩＩ−ＩＩ線に沿った要部拡大断面図である。
【００１５】
この磁気ディスクカートリッジ１は、押込み部２ａを含むスタビライザと呼ばれる樹脂製のフレーム２と、厚さ０．２ｍｍ程度のステンレス鋼板（例えば、ＳＵＳ３０４等）からなる上シェル３および下シェル４とによって構成された、幅５０ｍｍ、奥行き５５ｍｍ、厚さ１．９５ｍｍの扁平なハウジング内に、直径１．８インチ（約４６ｍｍ）の磁気ディスク５を、ドライブ装置に装填されたときに回転自在になるように収容している。磁気ディスク５の中央部には、中心孔１０ａを備えたセンタコア１０が固着されている。
【００１６】
この磁気ディスクカートリッジ１は、幅５３ｍｍ、奥行き８５ｍｍ、厚さ５ｍｍの外寸を有するＴＹＰＥＩＩ ＰＣカード型のドライブ装置（図略）が備えているスロットに挿入形式でローディングされるように構成され、上下シェル３，４には、上記ドライブ装置が備えている記録再生用磁気ヘッドを磁気ディスク５の表面にアクセスさせるための略Ｖ字状の開口部６が形成され、上下シェル３，４の内側には、上記開口部６を回転式に開閉するための開口部７ａを備えたロータリーシャッタ７が、図示しないバネ部材によって閉方向に付勢された態様で設けられている。
【００１７】
ロータリーシャッタ７は、周縁部で互いに係合された上下のシャッタ部材７Ｕ，７Ｄからなり、図２から明らかなように、上シャッタ部材７Ｕは、上シェル３の下面から内方へ突出する小径の円筒体３ａによって回転可能に軸支され、かつ円筒体３ａの先端には、上シャッタ部材７Ｕの円筒体３ａからの抜出しを防止するためのセンタピンと呼ばれる抜止め部材９が溶接されて、センタコア１０の中心孔１０ａ内に介入している。
【００１８】
下シェル４の中央部には、センタコア１０を外部に臨ませる円形の中心孔４ａが形成され、下シャッタ部材７Ｄの中心部には、下シェル４の中心孔４ａの周縁に遊嵌される大径の円筒体７Ｄａが下方へ向かって突設されて、この円筒体７Ｄａによって下シャッタ部材７Ｄが下シェル４に回転可能に支持されているとともに、円筒体７Ｄａの先端部がカシメられて、下シャッタ部材７Ｄの下シェル４からの抜出しを防止するフランジ１２が形成されている。上下のシャッタ部材７Ｕ，７Ｄの内面にはライナ１３が貼り付けられている。
【００１９】
さらに下シェル４には、ロータリーシャッタ７と同心的な円弧状溝４ｂが形成され、下シャッタ部材７Ｄには、図１（ｂ）に示すように、上記円弧状溝４ｂから突出しかつこの円弧状溝４ｂに沿って移動してロータリーシャッタ７を開閉するシャッタノブ７ｂが固設されている。そして、ドライブ装置に対する磁気ディスクカートリッジ１のローディング動作に伴って、ドライブ装置の係合壁面がシャッタノブ７ｂに係合して、ロータリーシャッタ７がその開口部７ａを上下シェル３，４の開口部６に一致させた開位置まで約６０度回転されることにより、磁気ディスク５を上下シェル３，４の開口部６から露出させ、かつドライブ装置からの磁気ディスクカートリッジ１のアンローディング動作に伴って、ロータリーシャッタ７は図示しないバネ部材によって図１（ａ），（ｂ）に示す閉位置に復帰するように構成されている。
【００２０】
図３（ａ），（ｂ）は、磁気ディスク５をセンタコア１０のディスク貼付面１０ａ上に両面粘着性テープ２０を用いて固着する場合の構成を概略的に示す拡大断面図である。
【００２１】
図３（ａ）に示すように、磁気ディスク５はＰＥＴ樹脂またはＰＥＮ（ポリエチレンナフタレート）樹脂で形成されたフィルム基材Ｂ１の両面に例えばＢａＦｅを強磁性粉末として含む磁性層Ｍ，Ｍを備えたものからなり、両面粘着性テープ２０は、フィルム基材Ｂ２の両面に粘着剤層Ａ，Ａを備えている。そして、この両面粘着性テープ２０は、その下面の粘着剤層Ａがセンタコア１０のディスク貼付面１０ａ上に貼り付けられた後、上面の粘着剤層Ａによって磁気ディスク５に貼り付けられることによって、磁気ディスク５をセンタコア１０のディスク貼付面１０ａ上に固着している。
【００２２】
図４（ａ）は両面粘着性テープ２０の外形図であり、図４（ｂ）、（ｃ）は他の態様を示す図である。
【００２３】
図４（ａ）に示す両面粘着性テープ２０は外周から内方へＶ字状に切り込まれた複数の切欠部を有している。この切欠部は両面粘着性テープの外周に沿って等間隔に形成されている。
【００２４】
図４（ｂ）に示す両面粘着性テープ２０は外周から内方へＵ字状に切り込まれた複数の切欠部を有している。この切欠部は両面粘着性テープの外周に沿って等間隔に形成されている。
【００２５】
図４（ｃ）に示す両面粘着性テープ２０は外周に沿って波形状に切り込まれた切欠部を有している。この切欠部は両面粘着性テープの外周に沿って等間隔に形成されている。
【００２６】
なお、本願の実施態様では磁気ディスクカートリッジを例に説明したが、ディスク状の薄型記録媒体は磁気ディスクに限られず、例えばセンタコアを有する光ディスクや光磁気ディスクであっても良い。
【図面の簡単な説明】
【００２７】
【図１】図１（ａ），（ｂ）は、本発明による磁気ディスクカートリッジの実施の形態の平面図および底面図
【図２】図１（ｂ）のＩＩ−ＩＩ線に沿った要部拡大断面図
【図３】磁気ディスクをセンタコアのディスク貼付面上に両面粘着性テープを用いて固着する場合の構成を概略的に示す拡大断面図
【図４】両面粘着性テープの外形図
【符号の説明】
【００２８】
１      磁気ディスクカートリッジ
３      上シェル
４      下シェル
５      磁気ディスク
７      ロータリーシャッタ
１０    センタコア
２０    両面粘着性テープ
【図１】
2006134453.tif 000003
【図２】
2006134453.tif 000004
【図３】
2006134453.tif 000005
【図４】
2006134453.tif 000006